(57)【要約】  複数の下り信号に基づく上り制御チャネルを適切に送信できる。ユーザ端末は、複数の下り信号を受信する受信部と、前記複数の下り信号に基づく少なくとも１つの上り制御情報の送信のための、上り制御チャネルリソース及び空間関連情報を決定する制御部と、を有する。
2020053978.tif 000002
【特許請求の範囲】
【請求項１】
複数の下り信号を受信する受信部と、
前記複数の下り信号に基づく少なくとも１つの上り制御情報の送信のための、上り制御チャネルリソース及び空間関連情報を決定する制御部と、を有することを特徴とするユーザ端末。
【請求項２】
前記制御部は、１つの上り制御チャネルリソースと、１つの空間関連情報と、を決定し、前記複数の下り信号に基づく１つの上り制御情報の送信に、前記１つの上り制御チャネルリソースと、前記１つの空間関連情報を、を用いることを特徴とする請求項１に記載のユーザ端末。
【請求項３】
前記制御部は、前記複数の下り信号にそれぞれ対応する複数の上り制御チャネルリソースを決定し、前記複数の下り信号にそれぞれ対応する複数の空間関連情報を決定し、前記複数の下り信号にそれぞれ基づく複数の上り制御情報を決定し、
前記制御部は、前記複数の上り制御情報のそれぞれの送信に、対応する上り制御チャネルリソースと、対応する空間関連情報と、を用いることを特徴とする請求項１に記載のユーザ端末。
【請求項４】
前記制御部は、少なくとも１つの上り制御チャネルリソースを決定し、前記複数の下り信号にそれぞれ対応する複数の空間関連情報を決定し、前記複数の下り信号に基づく１つの上り制御情報を決定し、
前記制御部は、前記少なくとも１つの上り制御チャネルリソースと、前記複数の空間関連情報と、を、前記１つの上り制御情報の繰り返し送信に用いることを特徴とする請求項１に記載のユーザ端末。
【請求項５】
前記制御部は、複数の空間関連情報をそれぞれ用いる複数の上り信号の同時送信をサポートすることを示す能力情報を報告することを特徴とする請求項１から請求項３のいずれかに記載のユーザ端末。
【請求項６】
複数の下り信号を受信する工程と、
前記複数の下り信号に基づく少なくとも１つの上り制御情報の送信のための、上り制御チャネルリソース及び空間関連情報を決定する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）においては、ユーザ端末（ＵＥ：User  Equipment）が基地局に対して、周期的及び／又は非周期的にチャネル状態情報（ＣＳＩ：Channel  State  Information）を送信する。ＵＥは、上りリンク制御チャネル（ＰＵＣＣＨ：Physical  Uplink  Control  Channel）及び／又は上りリンク共有チャネル（ＰＵＳＣＨ：Physical  Uplink  Shared  Channel）を用いて、ＣＳＩを送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）において、ユーザ端末が複数の送信ポイントから複数の下り信号をそれぞれ受信することが検討されている。【０００７】
また、ユーザ端末は、時間リソース、周波数リソース、及び空間リソース（例えば、空間関連情報、ビーム、空間ドメインフィルタ）を決定し、決定されたリソースを用いて上り制御チャネルを送信する。しかしながら、複数の下り信号を受信したユーザ端末が、複数の下り信号に基づき、上り制御チャネルを適切に送信しなければ、通信品質の低下などの問題が生じるおそれがある。【０００８】
そこで、本開示は、複数の下り信号に基づく上り制御チャネルを適切に送信するユーザ端末及び無線通信方法を提供することを目的の１つとする。
【課題を解決するための手段】
【０００９】
本開示の一態様に係るユーザ端末は、複数の下り信号を受信する受信部と、前記複数の下り信号に基づく少なくとも１つの上り制御情報の送信のための、上り制御チャネルリソース及び空間関連情報を決定する制御部と、を有する。
【発明の効果】
【００１０】
本開示の一態様によれば、複数の下り信号に基づく上り制御チャネルを適切に送信できる。
【図面の簡単な説明】
【００１１】
【図１】図１は、ＰＵＣＣＨ空間関連情報指示ＭＡＣ  ＣＥの構成の一例を示す図である。
【図２】図２は、ＰＵＣＣＨリソースに関する数の一例を示す図である。
【図３】図３Ａ及び図３Ｂは、複数の送信ポイントからの送信の一例を示す図である。
【図４】図４は、態様１に係るＵＣＩ送信方法の一例を示す図である。
【図５】図５は、態様２−１に係るＵＣＩ送信方法の一例を示す図である。
【図６】図６Ａ及び図６Ｂは、態様２−１−ａに係るＰＵＣＣＨリソースに関する数の一例を示す図である。
【図７】図７は、態様２−１−ａに係るＰＵＣＣＨ空間関連情報指示ＭＡＣ  ＣＥの構成の一例を示す図である。
【図８】図８Ａ及び図８Ｂは、態様２−１−ｂに係るＰＵＣＣＨリソースに関する数の一例を示す図である。
【図９】図９は、態様２−２に係るＵＣＩ送信方法の一例を示す図である。
【図１０】図１０は、一実施形態に係る無線通信システムの概略構成の一例を示す図である。
【図１１】図１１は、一実施形態に係る基地局の全体構成の一例を示す図である。
【図１２】図１２は、一実施形態に係る基地局の機能構成の一例を示す図である。
【図１３】図１３は、一実施形態に係るユーザ端末の全体構成の一例を示す図である。
【図１４】図１４は、一実施形態に係るユーザ端末の機能構成の一例を示す図である。
【図１５】図１５は、一実施形態に係る基地局及びユーザ端末のハードウェア構成の一例を示す図である。
【発明を実施するための形態】
【００１２】
ＵＥは、上位レイヤシグナリングによって、ＰＵＣＣＨ送信に必要なパラメータ（ＰＵＣＣＨ設定情報、PUCCH-Config）を設定されてもよい。ＰＵＣＣＨ設定情報は、ＰＵＣＣＨリソースセット情報（例えば、PUCCH-ResourceSet）のリストと、ＰＵＣＣＨ空間関連情報（例えば、PUCCH-SpatialRelationInfo）のリストと、を含んでもよい。
【００１３】
上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００１４】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００１５】
ＰＵＣＣＨリソースセット情報は、ＰＵＣＣＨリソースインデックス（ＩＤ、例えば、PUCCH-ResourceId）のリスト（例えば、resourceList）を含んでもよい。
【００１６】
また、ＵＥがＰＵＣＣＨ設定情報内のＰＵＣＣＨリソースセット情報によって提供される個別ＰＵＣＣＨリソース設定情報を持たない場合（ＲＲＣセットアップ前）、ＵＥは、システム情報（System  Information  Block  Type1：ＳＩＢ１、ＲＭＳＩ）内の上位レイヤパラメータに基づいて、ＰＵＣＣＨリソースセットを決定する。
【００１７】
ＵＥは、ＤＣＩフォーマット１＿０又は１＿１内のＰＵＣＣＨリソース指示（PUCCH  resource  indicator）フィールドΔＰＲＩと、当該ＤＣＩを運ぶＰＤＣＣＨ受信の制御リソースセット（COntrol  REsource  SET：ＣＯＲＥＳＥＴ）内のＣＣＥ数ＮＣＣＥ，０と、当該ＰＤＣＣＨ受信の先頭（最初の）ＣＣＥのインデックスｎＣＣＥ，０と、に基づく次式を用いて、ＰＵＣＣＨリソースインデックスｒＰＵＣＣＨを決定する。
【００１８】
【数１】
2020053978.tif 000003
【００１９】
一方、ＵＥが個別ＰＵＣＣＨリソース設定情報を持つ場合（ＲＲＣセットアップ後）、ＵＥは、ＵＣＩ情報ビットの数に従ってＰＵＣＣＨリソースセットインデックスを決定する。
【００２０】
決定されたＰＵＣＣＨリソースセット内のＰＵＣＣＨリソースの数が８以下である場合、ＵＥは、ＤＣＩフォーマット１＿０又は１＿１内のＰＵＣＣＨリソース指示フィールドに従ってＰＵＣＣＨリソースインデックスを決定する。
【００２１】
最初のＰＵＣＣＨリソースセット（ＵＣＩ）内のＰＵＣＣＨリソースの数が８よりも多い場合、ＵＥは、ＤＣＩフォーマット１＿０又は１＿１内のＰＵＣＣＨリソース指示フィールドΔＰＲＩと、当該ＤＣＩを運ぶＰＤＣＣＨ受信のＣＯＲＥＳＥＴ  ｐ内のＣＣＥの数ＮＣＣＥ，ｐと、当該ＰＤＣＣＨ受信の先頭ＣＣＥのインデックスｎＣＣＥ，ｐと、に基づく次式を用いて、ＰＵＣＣＨリソースインデックスを決定する。
【００２２】
【数２】
2020053978.tif 000004
【００２３】
図１に示すように、ＰＵＣＣＨリソースセット情報に対し、各ＰＵＣＣＨリソースセットグループ内のＰＵＣＣＨリソースセットの最大数（例えば、maxNrofPUCCH-ResourceSets）は４であってもよい。各ＰＵＣＣＨリソースセット内のＰＵＣＣＨリソースの最大数（例えば、maxNrofPUCCH-ResourcesPerSet）は３２であってもよい。全ＰＵＣＣＨリソースの最大数（例えば、maxNrofPUCCH-Resources）は１２８であってもよい。
【００２４】
また、ＰＵＣＣＨ空間関連情報は、ＰＵＣＣＨ送信のための複数の候補ビーム（空間ドメインフィルタ）を示してもよい。ＰＵＣＣＨ空間関連情報は、ＲＳ（Reference  signal）とＰＵＣＣＨの間の空間的な関連付けを示してもよい。
【００２５】
ＰＵＣＣＨ空間関連情報のリストは、少なくとも１つのエントリ（ＰＵＣＣＨ空間関連情報、ＰＵＣＣＨ空間関連情報ＩＥ（Information  Element））を含む。各ＰＵＣＣＨ空間関連情報は、ＰＵＣＣＨ空間関連情報インデックス（ＩＤ、例えば、pucch-SpatialRelationInfoId）、サービングセルインデックス（ＩＤ、例えば、servingCellId）、ＲＳのインデックスを含んでもよい。ＲＳのインデックスは、ＳＳＢ（ＳＳ（Synchronization  Signal）ブロック、ＳＳ／ＰＢＣＨ（Physical  Broadcast  CHannel）ブロック）インデックスと、ＮＺＰ（Non-Zero  Power）−ＣＳＩ−ＲＳリソース構成ＩＤ、と、ＳＲＳリソース構成ＩＤと、の１つであってもよい。ＳＳＢインデックス、ＮＺＰ−ＣＳＩ−ＲＳリソース構成ＩＤ、及びＳＲＳリソース構成ＩＤは、対応するＲＳの測定によって選択されたビーム、リソース、ポートの少なくとも１つに関連付けられてもよい。
【００２６】
ＰＵＣＣＨ空間関連情報のリスト内の複数のＰＵＣＣＨ空間関連情報（例えば、PUCCH-SpatialRelationInfo、又は、候補ビーム）の少なくとも１つがＭＡＣ（Medium  Access  Control）  ＣＥ（Control  Element）によって指示されてもよい。
【００２７】
ＵＥは、ＰＵＣＣＨ空間関連情報をアクティベート又はディアクティベートするＭＡＣ  ＣＥ（ＰＵＣＣＨ空間関連情報アクティベーション／ディアクティベーションＭＡＣ  ＣＥ、ＰＵＣＣＨ空間関連情報指示ＭＡＣ  ＣＥ）を受信してもよい。
【００２８】
図２に示すように、ＰＵＣＣＨ空間関連情報指示ＭＡＣ  ＣＥは、Ｒ（Reserved）フィールド、セービングセルＩＤ（インデックス）、ＢＷＰ  ＩＤ（インデックス）、ＰＵＣＣＨリソースＩＤ（インデックス）フィールド、Ｓｉフィールド、の少なくとも１つを含んでもよい。
【００２９】
ＰＵＣＣＨリソースＩＤフィールドは、上位レイヤシグナリングによって通知されたＰＵＣＣＨリソースＩＤ（PUCCH-ResourceId）の識別子である。
【００３０】
Ｓｉフィールドが１にセットされた場合、ＰＵＣＣＨ空間関連情報インデックスｉを有するＰＵＣＣＨ空間関連情報がアクティベートされ、Ｓｉフィールドが０にセットされた場合、ＰＵＣＣＨ空間関連情報インデックスｉを有するＰＵＣＣＨ空間関連情報がディアクティベートされる。すなわち、Ｓｉフィールドは、対応するＰＵＣＣＨ空間関連情報をアクティベートするか否かを示す。
【００３１】
１つのＰＵＣＣＨリソースに対して、１度に１つのＰＵＣＣＨ空間関連情報だけがアクティブであってもよい。
【００３２】
また、将来の無線通信システム（例えば、Ｒｅｌ．１６以降）では、複数の送信ポイントからそれぞれノンコヒーレントなＤＬ（例えば、ＰＤＳＣＨ）送信が行われることが検討されている。複数の送信ポイントからノンコヒーレントとなるＤＬ信号（又は、ＤＬチャネル）を協調して行う送信は、ＮＣＪＴ（Non-Coherent  Joint  Transmission、ジョイント送信）と呼んでもよい。
【００３３】
また、本開示において、送信ポイントは、送受信ポイント（Transmission/Reception  Point：ＴＲＰ）、パネル（panel、アンテナパネル、複数のアンテナ素子）、アンテナポート、又はセル、と読み替えられてもよい。送信ポイント（ＴＲＰ、パネルなど）は、例えば、ビーム、Spatial  filter、Reference  signal（ＲＳ）リソース、quasi  co-location（ＱＣＬ）、Transmission  configuration  information（ＴＣＩ）、空間ドメインフィルタ、空間リソース、又はそれらをグルーピングした概念で置き換えることができる。
【００３４】
複数の送信ポイントからそれぞれ送信されるノンコヒーレントのＰＤＳＣＨのスケジューリングを１以上のＤＣＩ（Downlink  Control  Information）を用いて制御することも想定される。一例として、複数の送信ポイントから送信されるＰＤＳＣＨをスケジューリングするために、複数の下り制御チャネル（例えば、ＰＤＣＣＨ）及びＤＣＩの少なくとも一つが利用される。
【００３５】
図３Ａは、パネル１、２からＰＤＳＣＨ１、２（例えば、ＮＣＪＴを利用したＰＤＳＣＨ）がそれぞれ送信される場合を示す。図３Ｂは、複数の送受信ポイント（ＴＲＰ１、２）からＰＤＳＣＨ１、２（例えば、ＮＣＪＴを利用したＰＤＳＣＨ）がそれぞれ送信される場合を示している。ＰＤＳＣＨ１、２は同じデータを有していてもよいし、異なるデータを有していてもよい。
【００３６】
複数の送信ポイントは、有線又は無線のインターフェース（理想又は非理想のバックホール）を介して接続されてもよい。
【００３７】
このようなＮＣＪＴに対し、次の仮定１、２が検討されている。
【００３８】
＜仮定１＞
仮定１では、１つのＤＣＩが複数のＰＤＳＣＨをスケジュールする。
【００３９】
＜仮定２＞
仮定２では、複数のＤＣＩが複数のＰＤＳＣＨをそれぞれスケジュールする。
【００４０】
このような場合、ＵＥは、複数のＰＤＳＣＨに対してＵＣＩをどのように送信するかが決められていない。例えば、ＵＥがどの送信ポイントへ送信するのか、ＵＣＩの内容、ＵＣＩの送信タイミング、ＰＵＣＣＨ設定情報、ＰＵＣＣＨリソースの決定、が決められていない。
【００４１】
そこで、本発明者らは、複数のＤＬ信号に基づく少なくとも１つの上り制御チャネル送信のためのリソース（例えば、ＰＵＣＣＨリソース、及びＰＵＣＣＨ空間関連情報の少なくとも１つ）を決定する方法を着想した。
【００４２】
以下、本開示に係る実施形態について、図面を参照して詳細に説明する。各実施形態（態様）に係る無線通信方法は、それぞれ単独で適用されてもよいし、組み合わせて適用されてもよい。
【００４３】
本開示において、送信ポイント及びＴＲＰはパネルで読み替えられてもよい。つまり、ＴＲＰ＃１及び＃２は、異なるパネル＃１及び＃２であってもよい。
【００４４】
ＵＥは、上位レイヤシグナリングによって明示的に、又は暗示的に、複数のＵＣＩフィードバックモードの１つを設定されてもよい。複数のＵＣＩフィードバックモードは、以下に示す態様１−１、１−２、２−１、２−２の少なくとも１つの動作を含んでもよい。
【００４５】
以下、主に、ＵＣＩが、ＰＤＳＣＨに対するＨＡＲＱ−ＡＣＫを含む場合について説明する。ＵＣＩが、他の情報であっても、本発明を適用できる。例えば、ＵＣＩは、他の下りチャネル又は下り信号（例えば、ＲＳ）に基づくＣＳＩを含んでもよい。以下、ＰＤＳＣＨは、下りデータ、ＰＤＣＣＨ（ＤＣＩ）、ＲＳ（例えば、ＳＳ／ＰＢＣＨブロック、ＣＳＩ−ＲＳ）などの下りチャネル又は下り信号又に読み替えられてもよい。
【００４６】
前述の仮定１に対し、１つのＤＣＩが、１以上のＰＵＣＣＨリソース指示フィールドを含んでもよいし、１以上のＨＡＲＱフィードバックタイミング指示（PDSCH-to-HARQ_feedback  timing  indicator）フィールドを含んでもよい。
【００４７】
前述の仮定２に対し、ＵＥは、複数のＤＣＩのための複数のＣＯＲＥＳＥＴを設定されてもよい。各ＤＣＩが、１つのＰＵＣＣＨリソース指示フィールドと、１つのＨＡＲＱフィードバックタイミング指示フィールドと、を含んでもよい。
【００４８】
＜態様１＞
ＵＥは、複数（Ｎ個）の送信ポイントのための１つのＵＣＩを、１つのＰＵＣＣＨリソースを用いて送信してもよい。Ｎは２であってもよいし、２より多くてもよい。当該ＵＣＩは、複数のＰＤＳＣＨにそれぞれ基づいてもよい。
【００４９】
ＵＥは、複数のＰＤＳＣＨにそれぞれ基づく複数の情報（例えば、ＨＡＲＱ−ＡＣＫ）を含む１つのＵＣＩを生成してもよいし、複数の情報の間で共通の情報と、複数の情報の間で異なる情報と、を含む１つのＵＣＩを生成してもよい。
【００５０】
ＵＥは、１つのＰＵＣＣＨリソースを決定し、１つのＰＵＣＣＨ空間関連情報（ビーム、空間ドメインフィルタ）と、を決定してもよい。ＵＥは、ＰＵＣＣＨ空間関連情報指示ＭＡＣ  ＣＥを受信してもよい。ＵＥは、１つのＰＵＣＣＨリソースと、１つのＰＵＣＣＨ空間関連情報を用いて、１つのＵＣＩを送信してもよい。
【００５１】
図４は、態様１に係るＵＣＩ送信方法の一例を示す図である。
【００５２】
この例では、１つのＴＲＰの２つのパネルから２つのＰＤＳＣＨがそれぞれ送信される（Ｎ＝２）。ＵＥは、パネル１から送信されたＰＤＳＣＨ１と、パネル２から送信されたＰＤＳＣＨ２と、を受信する。ＰＤＳＣＨ１、２は、異なる基地局送信ビームを用いて送信されてもよい。ＵＥは、ＰＤＳＣＨ１に基づくＵＣＩ１（例えば、ＨＡＲＱ−ＡＣＫ）と、ＰＤＳＣＨ１に基づくＵＣＩ２（例えば、ＨＡＲＱ−ＡＣＫ）と、を含む１つのＵＣＩを生成する。
【００５３】
ＵＥは、１つのＰＵＣＣＨリソース及び１つのＰＵＣＣＨ空間関連情報を決定し、決定されたＰＵＣＣＨリソース及びＰＵＣＣＨ空間関連情報を用いて、生成された１つのＵＣＩを送信する。言い換えれば、パネル１、２の１つへＵＣＩを送信する。
【００５４】
ＵＥは、次の態様１−１、１−２の１つに従って、１つのＰＵＣＣＨリソースを決定してもよい。
【００５５】
（態様１−１）
仮定１に対し、ＤＣＩが複数のＰＵＣＣＨリソース指示フィールドを含む場合、ＵＥは、ＤＣＩフォーマット１＿０又は１＿１内の最初のＰＵＣＣＨリソース指示フィールドと、当該ＤＣＩを運ぶＰＤＣＣＨ受信のＣＯＲＥＳＥＴ内のＣＣＥ数と、当該ＰＤＣＣＨ受信の先頭ＣＣＥのインデックスと、に基づいて、１つのＰＵＣＣＨリソースインデックスを決定する。
（態様１−２）
仮定２に対し、複数のＤＣＩが複数のＣＯＲＥＳＥＴ内でそれぞれ送信される場合、ＵＥは、複数のＣＯＲＥＳＥＴのうちの特定ＣＯＲＥＳＥＴ内のＤＣＩ内のＰＵＣＣＨリソース指示フィールドと、特定ＣＯＲＥＳＥＴ内のＣＣＥ数と、当該ＤＣＩを運ぶＰＤＣＣＨ受信の先頭ＣＣＥのインデックスと、に基づいて、１つのＰＵＣＣＨリソースインデックスを決定する。
【００５６】
特定ＣＯＲＥＳＥＴは、最小のＣＯＲＥＳＥＴ  ＩＤを有するＣＯＲＥＳＥＴであってもよいし、最小のＴＣＩ状態（TCI_state）ＩＤを有するＣＯＲＥＳＥＴであってもよいし、パネルＩＤ、ＴＲＰ  ＩＤ、ＰＤＳＣＨ  ＩＤ、コードワード（ＣＷ）  ＩＤ、ＤＭＲＳポートグループＩＤの１つの最小値に関連付けられたＣＯＲＥＳＥＴであってもよい。
【００５７】
この態様１によれば、ＵＥは、複数のＰＤＳＣＨに対する１つのＵＣＩを、１つのＰＵＣＣＨリソースを用いて送信するため、ＵＥの処理負荷を抑え、リソースの利用効率を高めることができる。
【００５８】
＜態様２＞
ＵＥは、複数のＰＵＣＣＨリソースと複数のＰＵＣＣＨ空間関連情報（ビーム、空間ドメインフィルタ）とを用いて、複数のＵＣＩを報告してもよい。当該複数のＵＣＩ（例えば、ＨＡＲＱ−ＡＣＫ）は、複数のＰＤＳＣＨにそれぞれ基づいてもよい。当該複数のＵＣＩのそれぞれは、同じＵＣＩであってもよい。当該同じＵＣＩは、複数のＰＤＳＣＨにそれぞれ基づく複数のＵＣＩ（例えば、ＨＡＲＱ−ＡＣＫ）を含んでもよい。
【００５９】
ＵＥは、次の態様２−１、２−２の１つに従って、複数のＰＵＣＣＨリソースを決定してもよい。
【００６０】
（態様２−１）
ＵＥは、複数のＰＵＣＣＨリソースと複数のＰＵＣＣＨ空間関連情報とを用いて、複数のＵＣＩを報告してもよい。複数（Ｎ個）のＵＣＩは、複数（Ｎ個）のＰＤＳＣＨ（送信ポイント）にそれぞれ基づいてもよい。Ｎは２であってもよいし、２より多くてもよい。
【００６１】
Ｎ個のＰＵＣＣＨリソースは、Ｎ個のＰＤＳＣＨにそれぞれ対応してもよい。Ｎ個のＰＵＣＣＨ空間関連情報は、Ｎ個のＰＤＳＣＨにそれぞれ対応してもよい。
【００６２】
図５は、態様２−１に係るＵＣＩ送信方法の一例を示す図である。
【００６３】
この例では、２つのＴＲＰから２つのＰＤＳＣＨがそれぞれ送信される（Ｎ＝２）。ＵＥは、ＴＲＰ１から送信されたＰＤＳＣＨ１と、ＴＲＰ２から送信されたＰＤＳＣＨ２と、を受信する。ＵＥは、ＰＤＳＣＨ１に基づくＵＣＩ１（例えば、ＨＡＲＱ−ＡＣＫ）と、ＰＤＳＣＨ１に基づくＵＣＩ２（例えば、ＨＡＲＱ−ＡＣＫ）と、を生成する。ＵＥは、ＰＤＳＣＨ１に対応するＰＵＣＣＨリソース１及びＰＵＣＣＨ空間関連情報１を決定し、ＰＤＳＣＨ２に対応するＰＵＣＣＨリソース２及びＰＵＣＣＨ空間関連情報２を決定する。
【００６４】
ＵＥは、ＰＵＣＣＨリソース１及びＰＵＣＣＨ空間関連情報１を用いて、ＵＣＩ１を送信する。言い換えれば、ＵＥは、ＵＣＩ１をＴＲＰ１へ送信する。ＵＥは、ＰＵＣＣＨリソース２及びＰＵＣＣＨ空間関連情報２を用いて、ＵＣＩ２を送信する。言い換えれば、ＵＥは、ＵＣＩ２をＴＲＰ２へ送信する。
【００６５】
ＵＥは、ＰＵＣＣＨリソースセットのグループ（ＰＵＣＣＨリソースセットグループ）を、設定されてもよい。例えば、ＵＥがＵＣＩペイロードサイズに基づいて４個のＰＵＣＣＨリソースセットから１つのＰＵＣＣＨリソースセットを決定する場合、各ＰＵＣＣＨリソースセットグループは、４個のＰＵＣＣＨリソースセットを含んでもよい。
【００６６】
ＵＥは、複数（Ｎ個）のＰＵＣＣＨリソースセットグループを、設定されてもよい。各ＰＵＣＣＨリソースセットグループは、送信ポイント、ＤＬパネル、ＴＲＰ、ＰＤＳＣＨ、コードワード、ＤＭＲＳポートグループの少なくとも１つに関連付けられてもよい。
【００６７】
Ｎが１であり、且つ、ＵＥが複数のＰＵＣＣＨリソースセットグループを設定された場合、ＵＥは、特定のＰＵＣＣＨリソースセットグループ（例えば、最初のＰＵＣＣＨリソースセットグループ）から、ＰＵＣＣＨグループセットを決定してもよい。
【００６８】
異なる送信ポイントからのＰＤＳＣＨに対するＵＣＩに対し、ＵＥは、個別ＰＵＣＣＨリソース設定情報を持つ場合、各送信ポイントに対するＵＣＩ情報ビットの数に基づいてＰＵＣＣＨリソースセットインデックスを決定してもよい。
【００６９】
各ＰＤＳＣＨに対して決定されたＰＵＣＣＨリソースセットインデックスは、同じであってもよいし、異なってもよい。
【００７０】
ＵＥは、各ＰＤＳＣＨのスケジューリングのためのＤＣＩ内のＰＵＣＣＨリソース指示フィールドと、当該ＤＣＩを運ぶＰＤＣＣＨ受信のＣＯＲＥＳＥＴのＣＣＥ数と、当該ＰＤＣＣＨ受信の先頭ＣＣＥのインデックスと、に基づいて、ＰＵＣＣＨリソースインデックスを決定してもよい。
【００７１】
更にＵＥは、各ＰＵＣＣＨリソースセットグループに対して、ＰＵＣＣＨ空間関連情報のグループ（ＰＵＣＣＨ空間関連情報グループ）を設定されてもよい。１つのＵＥに対する各ＰＵＣＣＨ空間関連情報グループは、ＵＬパネル、ＳＲＳ、ＳＲＳポートグループの少なくとも１つに関連付けられてもよい。
【００７２】
ＵＥは、次の態様２−１−ａ、２−１−ｂの１つに従って、ＰＵＣＣＨリソースに関する数を決定してもよい。
【００７３】
《態様２−１−ａ》
各ＰＵＣＣＨリソースセットグループ内のＰＵＣＣＨリソースセットの最大数と、各ＰＵＣＣＨリソースセット内のＰＵＣＣＨリソースの最大数と、全ＰＵＣＣＨリソースの最大数と、の少なくとも１つは、個別ＰＵＣＣＨリソース設定情報によって提供される値（maxNrofPUCCH-ResourceSets、maxNrofPUCCH-ResourcesPerSet、maxNrofPUCCH-Resources）であってもよい。maxNrofPUCCH-Resourcesは、全ＰＵＣＣＨリソースセットグループにおける全ＰＵＣＣＨリソースの最大数であってもよいし、各ＰＵＣＣＨリソースセットグループ内の全ＰＵＣＣＨリソースの最大数であってもよい。
【００７４】
図６Ａ（ＰＵＣＣＨリソースセットグループ１）及び図６Ｂ（ＰＵＣＣＨリソースセットグループ２）に示すように、Ｎが２である場合、ＰＵＣＣＨリソースセットグループ１、２のそれぞれに対し、maxNrofPUCCH-ResourceSets、maxNrofPUCCH-ResourcesPerSet、maxNrofPUCCH-Resourcesが適用されてもよい。例えば、maxNrofPUCCH-ResourceSetsは４であってもよい。例えば、maxNrofPUCCH-ResourcesPerSetは３２であってもよい。例えば、maxNrofPUCCH-Resourcesは１２８であってもよい。
【００７５】
ＰＵＣＣＨリソースセットインデックス（pucch-ResourceSetId）が０であるＰＵＣＣＨリソースセット（最初のＰＵＣＣＨリソースセット、ＰＵＣＣＨリソースセット１と呼ばれてもよい）は１から３２までのＰＵＣＣＨリソースを含んでもよい。ＰＵＣＣＨリソースセットインデックスが０より大きいＰＵＣＣＨリソースセット（最初以外のＰＵＣＣＨリソースセット、ＰＵＣＣＨリソースセット２以降と呼ばれてもよい）は１から８までのＰＵＣＣＨリソースを含んでもよい。
【００７６】
全ＰＵＣＣＨリソースの最大数は、ＰＵＣＣＨリソースセットグループ数Ｎに従って増加してもよい（例えば、１２８×Ｎであってもよい）。
【００７７】
この場合、既存のＰＵＣＣＨ空間関連情報指示ＭＡＣ  ＣＥは１２８個のＰＵＣＣＨリソース（７ビットのＰＵＣＣＨリソースインデックス（ＩＤ））しかサポートできないため、ＰＵＣＣＨ空間関連情報指示ＭＡＣ  ＣＥが拡張されてもよい。
【００７８】
図７に示すように、ＰＵＣＣＨ空間関連情報指示ＭＡＣ  ＣＥにおいて、１ビット又は２ビットのＲ（Reserved）フィールドが、ＰＵＣＣＨリソースセットグループ、パネル、ＴＲＰ、ＰＤＳＣＨ、コードワード、ＤＭＲＳポートグループの少なくとも１つを識別するインデックスを指示するために用いられてもよい。例えば、１ビットのＲフィールドを用いる場合、２個のＰＵＣＣＨリソースセットグループの１つを示すことができる。２ビットのＲフィールドを用いる場合、４個のＰＵＣＣＨリソースセットグループの１つを示すことができる。
【００７９】
１ビット又は２ビットのＲフィールドが、ＰＵＣＣＨリソースインデックスを拡張するために用いられてもよい。１ビットのＲフィールドを用いる場合、８ビット（従来の７ビットのＰＵＣＣＨリソースインデックスフィールド＋１ビットのＲフィールド）を用いることができるため、２５６個のＰＵＣＣＨリソースインデックスの１つを示すことができる。２ビットのＲフィールドを用いる場合、９ビット（従来の７ビットのＰＵＣＣＨリソースインデックスフィールド＋２ビットのＲフィールド）を用いることができるため、５１２個のＰＵＣＣＨリソースインデックスの１つを示すことができる。
【００８０】
《態様２−１−ｂ》
各ＰＵＣＣＨリソースセット内のＰＵＣＣＨリソースの最大数は、Ｎによって削減されてもよい。例えば、各ＰＵＣＣＨリソースセット内のＰＵＣＣＨリソースの最大数は、maxNrofPUCCH-ResourceSets／Ｎであってもよい。
【００８１】
Ｎが２である場合、図８Ａ（ＰＵＣＣＨリソースセットグループ１）及び図８Ｂ（ＰＵＣＣＨリソースセットグループ２）に示すように、各ＰＵＣＣＨリソースセットグループ内のＰＵＣＣＨリソースセットの最大数と、各ＰＵＣＣＨリソースセット内のＰＵＣＣＨリソースの最大数と、全ＰＵＣＣＨリソースの最大数が、図６Ａ及び図６Ｂの例の１／２であってもよい。
【００８２】
この場合、ＤＣＩフォーマット１＿０又は１＿１内のＰＵＣＣＨリソース指示フィールドは、３ビットから２ビットに削減されてもよい。
【００８３】
個別ＰＵＣＣＨリソース設定情報内の最初のＰＵＣＣＨリソースセット内のＰＵＣＣＨリソース数（上位レイヤパラメータresourceListのサイズRPUCCH）が４よりも大きい場合、ＵＥは、前述の式２を用いて、ＰＵＣＣＨリソースインデックスを決定してもよい。
【００８４】
ＰＵＣＣＨリソースセット当たりのＰＵＣＣＨリソースの実際の数は、上位レイヤシグナリングによって設定されてもよい。ＰＵＣＣＨリソースセットの決定のためのＵＣＩペイロードサイズの閾値（すなわち、Ｎ２、Ｎ３）は、上位レイヤシグナリングによって設定されてもよい。
【００８５】
ＵＥは、次の態様２−１−ｃ、２−１−ｄの１つに従って、ＰＵＣＣＨリソースセット当たりのＰＵＣＣＨリソース数と、ＵＣＩペイロードサイズの閾値と、の少なくとも１つの特定パラメータを決定してもよい。
【００８６】
《態様２−１−ｃ》
ＵＥは、上位レイヤシグナリングによって、各ＰＵＣＣＨリソースセットグループに対し、別々に特定パラメータを設定されてもよい。
【００８７】
《態様２−１−ｄ》
ＵＥは、上位レイヤシグナリングによって、複数のＰＵＣＣＨリソースセットグループに対し、１つのパラメータ（例えば、Ｐ）を設定されてもよい。
【００８８】
Ｐは、複数のＰＵＣＣＨリソースセットグループに対する特定パラメータの合計を示してもよい。例えば、ＵＥは、各ＰＵＣＣＨリソースセットグループに対する特定パラメータがＰ／Ｎであると想定してもよい。例えば、Ｎが２である場合、ＵＥは、特定パラメータがＰ／２であると想定してもよい。
【００８９】
Ｐは、特定ＰＵＣＣＨリソースセットグループに対する特定パラメータの合計を示してもよい。
【００９０】
ＵＥは、複数のＰＵＣＣＨリソースセットグループのうち特定ＰＵＣＣＨリソースセットグループ以外のＰＵＣＣＨリソースセットグループ（非特定ＰＵＣＣＨリソースセットグループ）に対する特定パラメータがＰに等しいと想定してもよい。
【００９１】
ＵＥは、非特定ＰＵＣＣＨリソースセットグループに対する特定パラメータを、所定の関数によって導出してもよい。
【００９２】
ここでは、ＰＵＣＣＨリソースセット当たりのＰＵＣＣＨリソースの最大数がＭであり、Ｎが２であり、特定ＰＵＣＣＨリソースセットグループに対する特定パラメータとしてＰが設定された場合について説明する。
【００９３】
特定パラメータがＰＵＣＣＨリソースセット当たりのＰＵＣＣＨリソース数である場合、ＵＥは、非特定ＰＵＣＣＨリソースセットグループに対する特定パラメータを、Ｍｉｎ（Ｐ，Ｍ−Ｐ）によって導出してもよいし、Ｍｉｎ（Ｐ，２×Ｍ）によって導出してもよい。
【００９４】
特定パラメータがＵＣＩペイロードサイズの閾値である場合、ＵＥは、非特定ＰＵＣＣＨリソースセットグループに対する特定パラメータを、Ｍｉｎ（Ｐ，２×Ｍ）によって導出してもよい。
【００９５】
この態様２−１によれば、各送信ポイントに対応するＰＵＣＣＨリソース及びＰＵＣＣＨ空間関連情報を用いて、ＵＣＩを送信するため、ＰＵＣＣＨの受信品質を高めることができる。ＵＣＩのペイロードサイズを抑えることができ、リソースの利用効率を高めることができる。
【００９６】
（態様２−２）
ＵＥは、少なくとも１つのＰＵＣＣＨリソースと、複数のＰＵＣＣＨ空間関連情報とを用いて、１つのＵＣＩを繰り返して報告してもよい（繰り返し送信、repetition）。当該ＵＣＩは、複数（Ｎ個）のＰＤＳＣＨにそれぞれ基づいてもよい。
【００９７】
ＵＥは、複数のＰＤＳＣＨにそれぞれ基づく複数の情報（例えば、ＨＡＲＱ−ＡＣＫ）を含む１つのＵＣＩを生成してもよいし、複数の情報の間で共通の情報と、複数の情報の間で異なる情報と、を含む１つのＵＣＩを生成してもよい。
【００９８】
ＵＥは、複数のＰＵＣＣＨリソースセットグループを設定された場合、複数のＰＵＣＣＨリソースセットグループのうち、特定のＰＵＣＣＨリソースセットグループ（例えば、最初のＰＵＣＣＨリソースセットグループ）から、ＰＵＣＣＨリソースセットを決定してもよい。
【００９９】
図９は、態様２−２に係るＵＣＩ送信方法の一例を示す図である。
【０１００】
この例では、２つのＴＲＰから２つのＰＤＳＣＨがそれぞれ送信される（Ｎ＝２）。ＵＥは、ＴＲＰ１から送信されたＰＤＳＣＨ１と、ＴＲＰ２から送信されたＰＤＳＣＨ２と、を受信する。ＵＥは、ＰＤＳＣＨ１に基づくＵＣＩ１（例えば、ＨＡＲＱ−ＡＣＫ）と、ＰＤＳＣＨ１に基づくＵＣＩ２（例えば、ＨＡＲＱ−ＡＣＫ）と、に基づく１つのＵＣＩを生成する。ＵＥは、ＰＤＳＣＨ１に対応するＰＵＣＣＨ空間関連情報１を決定し、ＰＤＳＣＨ２に対応するＰＵＣＣＨ空間関連情報２を決定する。ＵＥは、ＰＵＣＣＨ空間関連情報１及びＰＵＣＣＨ空間関連情報２をそれぞれ用いるＰＵＣＣＨ１、２において、同じＵＣＩを送信する。
【０１０１】
ＵＥは、次の態様２−２−ａ、２−２−ｂの１つに従って、ＰＵＣＣＨリソース及びＰＵＣＣＨ空間関連情報を決定してもよい。
【０１０２】
《態様２−２−ａ》
ＵＥは、１つのＰＵＣＣＨリソースと、複数のＰＤＳＣＨにそれぞれ対応する複数のＰＵＣＣＨ空間関連情報と、を用いて、１つのＵＣＩを繰り返し送信してもよい。
【０１０３】
ＵＥは、１つのＰＵＣＣＨリソースセットと１つのＰＵＣＣＨリソースとを決定してもよい。
【０１０４】
ＵＥは、決定された１つのＰＵＣＣＨリソースと、複数の異なるＰＵＣＣＨ空間関連情報（ビーム、空間ドメインフィルタ）と、を用いて、同じＵＣＩを送信してもよい。
【０１０５】
ＰＵＣＣＨ空間関連情報指示ＭＡＣ  ＣＥは、１つのＰＵＣＣＨリソースに対し、１度にＮ個のＰＵＣＣＨ空間関連情報をアクティベートしてもよい。Ｎ個のＰＵＣＣＨ空間関連情報が、Ｎ個のＰＤＳＣＨ（送信ポイント）に関連付けられてもよい。ＵＥは、アクティベートされたＮ個のＰＵＣＣＨ空間関連情報のそれぞれを用いて同じＵＣＩを送信してもよい。
【０１０６】
ＰＵＣＣＨ空間関連情報指示ＭＡＣ  ＣＥは、１つのＰＵＣＣＨリソースインデックスと、Ｎ組のＳｉフィールドと、を含んでもよい。各組のＳｉフィールドは、Ｍビットであってもよい。Ｍは、８であってもよいし、他の数であってもよい。Ｎ組のＳｉフィールドは、Ｎ個のＰＤＳＣＨ（送信ポイント）にそれぞれ関連付けられてもよい。各組のＳｉフィールドにおいて、アクティベートされるＰＵＣＣＨ空間関連情報に対応する１つのＳｉフィールドだけが１にセットされてもよい。
【０１０７】
ＰＵＣＣＨ空間関連情報指示ＭＡＣ  ＣＥは、１つのＰＵＣＣＨリソースインデックスと、Ｎ個のＰＵＣＣＨ空間関連情報インデックス（例えば、ｉ）と、を含んでもよい。Ｎ個のＰＵＣＣＨ空間関連情報インデックスは、Ｎ個のＰＤＳＣＨ（送信ポイント）にそれぞれ関連付けられてもよい。各ＰＵＣＣＨ空間関連情報インデックスは、アクティベートされるＰＵＣＣＨ空間関連情報のインデックスを示す。１つのＰＵＣＣＨ空間関連情報インデックスはＬビットであってもよい。例えば、ＰＵＣＣＨ空間関連情報インデックスが８個のＰＵＣＣＨ空間関連情報の１つを示す場合、ＰＵＣＣＨ空間関連情報インデックスのサイズＬは３ビットであってもよい。Ｌは他の数であってもよい。
【０１０８】
ＰＵＣＣＨ空間関連情報指示ＭＡＣ  ＣＥは、１組のＳｉフィールドを含んでもよい。１組のＳｉフィールドは、Ｍビットであってもよい。Ｍは、８であってもよいし、他の数であってもよい。Ｎが２である場合、ＰＵＣＣＨ空間関連情報指示ＭＡＣ  ＣＥは、２つのＳｉフィールドが１にセットされてもよい。Ｎが２であり、Ｍが８である場合、８ビットのＳｉフィールドが、４ビットずつ、１つの送信ポイントに関連付けられてもよい。この場合、Ｓ０〜Ｓ３の１つが１にセットされ、１番目の送信ポイントに対応するＰＵＣＣＨ空間関連情報を示し、Ｓ４〜Ｓ７の１つが１にセットされ、２番目の送信ポイントに対応するＰＵＣＣＨ空間関連情報を示してもよい。
【０１０９】
《態様２−２−ｂ》
ＵＥは、複数のＰＤＳＣＨにそれぞれ対応する複数のＰＵＣＣＨリソースと、複数のＰＤＳＣＨにそれぞれ対応する複数のＰＵＣＣＨ空間関連情報と、を用いて、１つのＵＣＩを繰り返し送信してもよい。
【０１１０】
ＵＥは、１つのＰＵＣＣＨリソースセットを決定し、当該ＰＵＣＣＨリソースセットから複数のＰＵＣＣＨリソースを決定してもよい。
【０１１１】
ＵＥは、１つのＵＣＩ情報ビットの数に基づいて１つのＰＵＣＣＨリソースセットインデックスを決定してもよい。ＵＥは、複数のＰＤＳＣＨに対して１つのＵＣＩを送信するため、複数のＰＤＳＣＨに対して同じＰＵＣＣＨリソースセットインデックスを決定してもよい。
【０１１２】
ＵＥは、決定されたＰＵＣＣＨリソースセットから、態様２−１と同様にして、各ＰＤＳＣＨに対してＰＵＣＣＨリソースインデックスを決定してもよい。すなわち、ＵＥは、各ＰＤＳＣＨのスケジューリングのためのＤＣＩ内のＰＵＣＣＨリソース指示フィールドと、当該ＤＣＩを運ぶＰＤＣＣＨ受信のＣＯＲＥＳＥＴ内のＣＣＥ数と、当該ＰＤＣＣＨ受信の先頭ＣＣＥのインデックスと、に基づいて、ＰＵＣＣＨリソースインデックスを決定してもよい。
【０１１３】
ＵＥは、各ＰＵＣＣＨリソースインデックスに対して異なるＰＵＣＣＨ空間関連情報を決定してもよい。ＵＥは、各ＰＵＣＣＨリソースインデックスに対応するＰＵＣＣＨ空間関連情報指示ＭＡＣ  ＣＥを受信することによって、各ＰＵＣＣＨリソースインデックスに対応するＰＵＣＣＨ空間関連情報を決定してもよい。ＵＥは、決定された複数のＰＵＣＣＨリソースと、対応するＰＵＣＣＨ空間関連情報（ビーム、空間ドメインフィルタ）と、を用いて、同じＵＣＩを送信してもよい。
【０１１４】
この態様２−２によれば、異なるＰＵＣＣＨ空間関連情報を用いて、同じＵＣＩを繰り返し送信するため、信頼性を向上できる。
【０１１５】
＜態様３＞
態様２において、ＵＥは、異なる時間リソースを有する複数のＰＵＣＣＨリソースを用いて、複数のＵＣＩをそれぞれ送信してもよい。
【０１１６】
仮定１において、１つのＤＣＩが複数のＨＡＲＱフィードバックタイミング指示フィールドを含む場合、ＵＥは、各ＨＡＲＱフィードバックタイミング指示フィールドに従って、対応するＵＣＩのフィードバックタイミングを決定してもよい。
【０１１７】
仮定１において、１つのＤＣＩが１つだけのＨＡＲＱフィードバックタイミング指示フィールドを含む場合、ＵＥは、１番目のＰＵＣＣＨリソース上のフィードバックタイミングを、ＨＡＲＱフィードバックタイミング指示フィールドに従って決定し、２番目以降のＰＵＣＣＨリソース上のフィードバックタイミングを、直前のフィードバックタイミングから所定時間後に決定してもよい。例えば、所定時間は、Ｘシンボルであってもよいし、Ｘスロットであってもよい。Ｘは仕様に規定されてもよいし、上位レイヤシグナリングによって設定されてもよい。
【０１１８】
仮定２において、ＵＥは、複数のＰＤＳＣＨのスケジューリングのための複数のＤＣＩを受信し、各ＤＣＩ内のＨＡＲＱフィードバックタイミング指示フィールドに従って、対応するＵＣＩのフィードバックタイミングを決定してもよい。
【０１１９】
この態様３によれば、ＵＥが複数のＵＣＩを異なる時間リソースを用いて送信することによって、信頼性を向上できる。
【０１２０】
＜態様４＞
態様２において、ＵＥは、同じ時間リソースを有する複数のＰＵＣＣＨリソースを用いて、複数のＵＣＩをそれぞれ送信してもよい。
【０１２１】
仮定１において、１つのＤＣＩが１つだけのＨＡＲＱフィードバックタイミング指示フィールドを含む場合、ＵＥは、当該ＤＣＩ内のＨＡＲＱフィードバックタイミング指示フィールドに従って、複数のＵＣＩのフィードバックタイミングを決定してもよい。
【０１２２】
仮定１において、１つのＤＣＩが複数のＨＡＲＱフィードバックタイミング指示フィールドを含む場合、ＵＥは、当該ＤＣＩ内の最初のＨＡＲＱフィードバックタイミング指示フィールドに従って、複数のＵＣＩのフィードバックタイミングを決定してもよい。
【０１２３】
仮定２において、ＵＥは、複数のＰＤＳＣＨのスケジューリングのための複数のＤＣＩを受信する。この場合、ＵＥは、複数のＤＣＩ内のＨＡＲＱフィードバックタイミング指示フィールドが異なる値を示さないと期待してもよい。
【０１２４】
仮定２において、複数のＤＣＩ内のＨＡＲＱフィードバックタイミング指示フィールドが異なる値を示す場合、ＵＥは、複数のＤＣＩのうち特定ＣＯＲＥＳＥＴ内のＤＣＩ内のＨＡＲＱフィードバックタイミング指示フィールドに従って、複数のＵＣＩのフィードバックタイミングを決定してもよい。特定ＣＯＲＥＳＥＴは、最小のＣＯＲＥＳＥＴ  ＩＤを有するＣＯＲＥＳＥＴであってもよいし、最小のＴＣＩ状態ＩＤを有するＣＯＲＥＳＥＴであってもよいし、パネルＩＤ、ＴＲＰ  ＩＤ、ＰＤＳＣＨ  ＩＤ、コードワード  ＩＤ、ＤＭＲＳポートグループＩＤの１つの最小値に関連付けられたＣＯＲＥＳＥＴであってもよい。
【０１２５】
複数のＵＬ空間関連情報（例えば、ＰＵＣＣＨ空間関連情報）をそれぞれ用いて複数のＵＬチャネル（例えば、ＰＵＣＣＨ）を同時に送信すること（複数のビームを同時に送信すること）をサポートすることを示すＵＥ能力情報が規定されてもよい。このＵＥ能力情報を報告したＵＥは、複数のＰＵＣＣＨ空間関連情報をそれぞれ用いて複数のＵＣＩを同時に送信してもよい。
【０１２６】
ＵＥは、異なるＰＵＣＣＨ空間関連情報を用いる同時送信をサポートしないことを示すＵＥ能力シグナリングを報告した場合、異なる複数のＰＵＣＣＨ空間関連情報を用いる同時送信を設定されないと期待してもよい。
【０１２７】
このＵＥ能力情報を報告したＵＥは、同じタイミング又は異なるタイミングである複数のＵＣＩの送信タイミングを、上位レイヤシグナリングによって設定されてもよい。
【０１２８】
この態様４によれば、ＵＥは、複数のＰＤＳＣＨに対する複数のＵＣＩを、１つの時間リソースを用いて送信するため、リソースの利用効率を高めることができる。
【０１２９】
＜態様５＞
ＵＥは、報告したＵＥ能力情報に応じたＵＣＩ送信を設定されてもよい。
【０１３０】
ＵＥは、異なるＰＵＣＣＨ空間関連情報を用いる同時送信をサポートすることを示すＵＥ能力シグナリングを報告した場合、態様２−１のＵＣＩフィードバックモードと、態様４の同じフィードバックタイミングと、を設定されてもよい。この場合、ＵＥは、態様２−１に従って、複数のＰＵＣＣＨリソース及び複数のＰＵＣＣＨ空間関連情報を決定し、態様４に従って、１つのフィードバックタイミングを決定してもよい。
【０１３１】
ＵＥは、異なるＰＵＣＣＨ空間関連情報を用いる同時送信をサポートすることを示すＵＥ能力シグナリングを報告した場合、態様２−２のＵＣＩフィードバックモードと、態様４の同じフィードバックタイミングと、を設定されてもよい。この場合、ＵＥは、態様２−２に従って、複数のＰＵＣＣＨリソース及び複数のＰＵＣＣＨ空間関連情報を決定し、態様４に従って、１つのフィードバックタイミングを決定してもよい。
【０１３２】
ＵＥは、異なるＰＵＣＣＨ空間関連情報を用いる同時送信をサポートしないことを示すＵＥ能力シグナリングを報告した場合、態様１−１のＵＣＩフィードバックモードを設定されてもよい。この場合、ＵＥは、態様１−１に従って、１つのＰＵＣＣＨリソース及び１つのＰＵＣＣＨ空間関連情報を決定してもよい。
【０１３３】
ＵＥは、異なるＰＵＣＣＨ空間関連情報を用いる同時送信をサポートしないことを示すＵＥ能力シグナリングを報告した場合、態様２−１のＵＣＩフィードバックモードと、態様３の異なる複数のフィードバックタイミングと、を設定されてもよい。この場合、ＵＥは、態様２−１に従って、複数のＰＵＣＣＨリソース及び複数のＰＵＣＣＨ空間関連情報を決定し、態様３に従って、複数のフィードバックタイミングを決定してもよい。
【０１３４】
ＵＥは、異なるＰＵＣＣＨ空間関連情報を用いる同時送信をサポートしないことを示すＵＥ能力シグナリングを報告した場合、態様２−２のＵＣＩフィードバックモードと、態様３の異なる複数のフィードバックタイミングと、を設定されてもよい。この場合、ＵＥは、態様２−２に従って、複数のＰＵＣＣＨリソース及び複数のＰＵＣＣＨ空間関連情報を決定し、態様３に従って、複数のフィードバックタイミングを決定してもよい。
【０１３５】
この態様５によれば、ＵＥは、ＵＥ能力に応じて適切にＵＣＩを送信できる。
【０１３６】
＜態様６＞
ＵＥは、ＵＣＩ（タイプ、トリガなど）に応じてＵＣＩ送信方法を決定してもよい。
【０１３７】
ＵＣＩが特定ＵＣＩタイプである場合、ＵＥは、複数の送信ポイントに基づく１つのＵＣＩを、１つのＰＵＣＣＨリソースを用いて送信してもよい。特定ＵＣＩタイプは、ＣＳＩであってもよい。
【０１３８】
ＵＣＩがＤＣＩによってトリガされる場合、ＵＥは、態様１〜５の少なくとも１つに従ってＵＣＩを送信してもよい。ＵＣＩがＨＡＲＱ−ＡＣＫを含む場合、ＵＥは、態様１〜５の少なくとも１つに従ってＵＣＩを送信してもよい。
【０１３９】
ＵＣＩがセミスタティックにトリガされる場合（上位レイヤシグナリングによってトリガされる場合）、ＵＥは、ＤＣＩによってトリガされるＵＣＩと異なる方法に従ってＵＣＩを送信してもよい。例えば、ＵＣＩがＨＡＲＱ−ＡＣＫを含まない場合、ＵＥは、ＨＡＲＱ−ＡＣＫを含むＵＣＩと異なる方法に従ってＵＣＩを送信してもよい。この場合、例えば、ＵＥは、上位レイヤシグナリングに基づいてＰＵＣＣＨリソース及びＰＵＣＣＨ空間関連情報の少なくとも１つを決定してもよいし、所定ルールに基づいてＰＵＣＣＨリソース及びＰＵＣＣＨ空間関連情報の少なくとも１つを決定してもよい。例えば、ＵＥは、ＴＣＩ状態ＩＤ、パネルＩＤ、ＴＲＰ  ＩＤ、ＰＤＳＣＨ  ＩＤ、コードワード  ＩＤ、ＤＭＲＳポートグループＩＤの１つの最小値に基づいて、ＰＵＣＣＨ空間関連情報（送信先の送信ポイント、ビーム）を決定してもよい。
【０１４０】
この態様６によれば、ＵＥは、ＵＣＩ（タイプ、トリガなど）に応じた方法で、適切にＵＣＩを送信できる。
【０１４１】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１４２】
図１０は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及びデュアルコネクティビティ（ＤＣ）の少なくとも一方を適用することができる。
【０１４３】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１４４】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１４５】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１４６】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ）の基地局（ｅＮＢ）がマスターノード（ＭＮ）となり、ＮＲの基地局（ｇＮＢ）がセカンダリーノード（ＳＮ）となるＬＴＥとＮＲとのデュアルコネクティビィティ（ＥＮ−ＤＣ：E-UTRA-NR  Dual  Connectivity）、ＮＲの基地局（ｇＮＢ）がＭＮとなり、ＬＴＥ（Ｅ−ＵＴＲＡ）の基地局（ｅＮＢ）がＳＮとなるＮＲとＬＴＥとのデュアルコネクティビィティ（ＮＥ−ＤＣ：NR-E-UTRA  Dual  Connectivity）等を含んでもよい。また、無線通信システム１は、同一のＲＡＴ内の複数の基地局間のデュアルコネクティビティ（例えば、ＭＮ及びＳＮの双方がＮＲの基地局（ｇＮＢ）となるデュアルコネクティビティ（ＮＮ−ＤＣ：NR-NR  Dual  Connectivity））をサポートしてもよい。
【０１４７】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０１４８】
また、ユーザ端末２０は、各セルで、時分割複信（ＴＤＤ：Time  Division  Duplex）及び周波数分割複信（ＦＤＤ：Frequency  Division  Duplex）の少なくとも１つを用いて通信を行うことができる。また、各セル（キャリア）では、単一のニューメロロジーが適用されてもよいし、複数の異なるニューメロロジーが適用されてもよい。
【０１４９】
ニューメロロジーとは、ある信号又はチャネルの送信及び受信の少なくとも一方に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０１５０】
例えば、ある物理チャネルについて、構成するＯＦＤＭシンボルのサブキャリア間隔及びＯＦＤＭシンボル数の少なくとも一方が異なる場合には、ニューメロロジーが異なると称されてもよい。
【０１５１】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０１５２】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０１５３】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０１５４】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１５５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及びＯＦＤＭＡの少なくとも一方が適用される。
【０１５６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１５７】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１５８】
下り制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及びＰＵＳＣＨの少なくとも一方のスケジューリング情報を含む下り制御情報（ＤＣＩ：Downlink  Control  Information）などが伝送される。
【０１５９】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１６０】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【０１６１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１６２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１６３】
（基地局）
図１１は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１６４】
下りリンクによって基地局１０からユーザ端末２０に送信されるユーザデータは、上位局装置３０から伝送路インターフェース１０６を介してベースバンド信号処理部１０４に入力される。
【０１６５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１６６】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１６７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１６８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１６９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１７０】
図１２は、一実施形態に係る基地局の機能構成の一例を示す図である。なお、本例では、本実施形態における特徴部分の機能ブロックを主に示しており、基地局１０は、無線通信に必要な他の機能ブロックも有すると想定されてもよい。
【０１７１】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１７２】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１７３】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１７４】
制御部３０１は、システム情報、下りデータ信号（例えば、下り共有チャネルを用いて送信される信号）、下り制御信号（例えば、下り制御チャネルを用いて送信される信号）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１７５】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１７６】
制御部３０１は、上りデータ信号（例えば、上り共有チャネルを用いて送信される信号）、上り制御信号（例えば、上り制御チャネルを用いて送信される信号）、ランダムアクセスプリアンブル、上り参照信号などのスケジューリングを制御する。
【０１７７】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１７８】
送信信号生成部３０２は、例えば、制御部３０１からの指示に基づいて、下りデータの割り当て情報を通知するＤＬアサインメント及び上りデータの割り当て情報を通知するＵＬグラントの少なくとも一方を生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１７９】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１８０】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１８１】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び受信処理後の信号の少なくとも一方を、測定部３０５に出力する。
【０１８２】
測定部３０５は、受信した信号に関する測定を実施する。測定部３０５は、本開示に係る技術分野での共通認識に基づいて説明される測定器、測定回路又は測定装置から構成することができる。
【０１８３】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１８４】
なお、送受信部１０３は、チャネル状態情報（ＣＳＩ：Channel  State  Information）のための測定（又は測定報告又は報告）に関する設定情報（例えば、ＲＲＣのCSI-MeasConfig情報要素（ＩＥ：Information  Element）、CSI-ResourceConfig  ＩＥ、CSI-ReportConfig  ＩＥなどの少なくとも１つ）をユーザ端末２０に送信してもよい。送受信部１０３は、ユーザ端末２０から送信されたＣＳＩを受信してもよい。
【０１８５】
（ユーザ端末）
図１３は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１８６】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１８７】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１８８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１８９】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１９０】
図１４は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１９１】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１９２】
制御部４０１は、ユーザ端末２０全体の制御を実施する。制御部４０１は、本開示に係る技術分野での共通認識に基づいて説明されるコントローラ、制御回路又は制御装置から構成することができる。
【０１９３】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１９４】
制御部４０１は、基地局１０から送信された下り制御信号、下りデータ信号などを、受信信号処理部４０４から取得する。制御部４０１は、下りデータ信号に対する再送制御の要否を判定した結果、下り制御信号などに基づいて、上り制御信号、上りデータ信号などの生成を制御する。
【０１９５】
制御部４０１は、所定の識別子（例えば、Ｃ−ＲＮＴＩ、ＣＳ−ＲＮＴＩ、ＭＣＳ−Ｃ−ＲＮＴＩ、ＳＩ−ＲＮＴＩ、Ｐ−ＲＮＴＩ、ＲＡ−ＲＮＴＩ、ＴＣ−ＲＮＴＩ、ＩＮＴ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、ＴＰＣ−ＳＲＳ−ＲＮＴＩ、ＳＰ−ＣＳＩ−ＲＮＴＩの少なくとも一つ）でＣＲＣスクランブルされるＤＣＩの監視を制御してもよい。
【０１９６】
制御部４０１は、基地局１０から通知された各種情報を受信信号処理部４０４から取得した場合、当該情報に基づいて制御に用いるパラメータを更新してもよい。
【０１９７】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１９８】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１９９】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０２００】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０２０１】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び受信処理後の信号の少なくとも一方を、測定部４０５に出力する。
【０２０２】
測定部４０５は、受信した信号に関する測定を実施する。測定部４０５は、本開示に係る技術分野での共通認識に基づいて説明される測定器、測定回路又は測定装置から構成することができる。測定部４０５は、本開示における受信部の少なくとも一部を構成してもよい。
【０２０３】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０２０４】
また、送受信部２０３は、複数の下り信号（ＰＤＳＣＨ、ＰＤＣＣＨ、ＲＳ（ＳＳ／ＰＢＣＨブロック、ＣＳＩ−ＲＳ））を受信してもよい。制御部４０１は、前記複数の下り信号に基づく少なくとも１つの上り制御情報（ＵＣＩ）の送信のための、上り制御チャネル（ＰＵＣＣＨ）リソース及び空間関連情報（例えば、ＰＵＣＣＨ空間関連情報、ビーム、空間ドメインフィルタ）を決定してもよい。
【０２０５】
また、制御部４０１は、１つの上り制御チャネルリソース（例えば、１つのＰＵＣＣＨリソース）と、１つの空間関連情報（例えば、１つのＰＵＣＣＨ空間関連情報）と、を決定し、前記複数の下り信号（例えば、Ｎ個のＰＤＳＣＨ）に基づく１つの上り制御情報（例えば、１つのＵＣＩ）の送信に、前記１つの上り制御チャネルリソースと、前記１つの空間関連情報を、を用いてもよい（態様１）。
【０２０６】
また、制御部４０１は、前記複数の下り信号（例えば、Ｎ個のＰＤＳＣＨ）にそれぞれ対応する複数の上り制御チャネルリソース（例えば、Ｎ個のＰＵＣＣＨリソース）を決定し、前記複数の下り信号にそれぞれ対応する複数の空間関連情報（例えば、Ｎ個のＰＵＣＣＨ空間関連情報）を決定し、前記複数の下り信号にそれぞれ基づく複数の上り制御情報（例えば、Ｎ個のＵＣＩ）を決定し、制御部４０１は、前記複数の上り制御情報のそれぞれの送信に、対応する上り制御チャネルリソースと、対応する空間関連情報を、を用いてもよい（態様２−１）。
【０２０７】
また、制御部４０１は、少なくとも１つの上り制御チャネルリソース（例えば、１つのＰＵＣＣＨリソース又はＮ個のＰＵＣＣＨリソース）を決定し、前記複数の下り信号（例えば、Ｎ個のＰＤＳＣＨ）にそれぞれ対応する複数の空間関連情報（例えば、Ｎ個のＰＵＣＣＨ空間関連情報）を決定し、前記複数の下り信号に基づく１つの上り制御情報（例えば、１つのＵＣＩ）を決定し、制御部４０１は、前記少なくとも１つの上り制御チャネルリソースと、前記複数の空間関連情報と、を、前記１つの上り制御情報の繰り返し送信に用いてもよい（態様２−２）。
【０２０８】
また、制御部４０１は、複数の空間関連情報をそれぞれ用いる複数の上り信号の同時送信をサポートしてもよい（態様４、５）。
【０２０９】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２１０】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２１１】
例えば、本開示の一実施形態における基地局、ユーザ端末などは、本開示の無線通信方法の処理を行うコンピュータとして機能してもよい。図１５は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２１２】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２１３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２１４】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２１５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２１６】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２１７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２１８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２１９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３（２０３）は、送信部１０３ａ（２０３ａ）と受信部１０３ｂ（２０３ｂ）とで、物理的に又は論理的に分離された実装がなされてもよい。
【０２２０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２２１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２２２】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２２３】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２２４】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２２５】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２２６】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２２７】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２２８】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２２９】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２３０】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２３１】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２３２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２３３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２３４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２３５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２３６】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２３７】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２３８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２３９】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２４０】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２４１】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２４２】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２４３】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２４４】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２４５】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２４６】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２４７】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２４８】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２４９】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２５０】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２５１】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２５２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２５３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２５４】
本開示において使用する「システム」及び「ネットワーク」という用語は、互換的に使用され得る。
【０２５５】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２５６】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２５７】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２５８】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２５９】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２６０】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２６１】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２６２】
同様に、本開示におけるユーザ端末は、基地局で読み替えてもよい。この場合、上述のユーザ端末２０が有する機能を基地局１０が有する構成としてもよい。
【０２６３】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２６４】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２６５】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２６６】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２６７】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２６８】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２６９】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２７０】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２７１】
また、「判断（決定）」は、「想定する（assuming）」、「期待する（expecting）」、「みなす（considering）」などで読み替えられてもよい。
【０２７２】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２７３】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２７４】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２７５】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２７６】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２７７】
本開示において、例えば、英語でのa、an及びtheのように、翻訳によって冠詞が追加された場合、本開示は、これらの冠詞の後に続く名詞が複数形であることを含んでもよい。
【０２７８】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020053978.tif 000005
【図２】
2020053978.tif 000006
【図３】
2020053978.tif 000007
【図４】
2020053978.tif 000008
【図５】
2020053978.tif 000009
【図６】
2020053978.tif 000010
【図７】
2020053978.tif 000011
【図８】
2020053978.tif 000012
【図９】
2020053978.tif 000013
【図１０】
2020053978.tif 000014
【図１１】
2020053978.tif 000015
【図１２】
2020053978.tif 000016
【図１３】
2020053978.tif 000017
【図１４】
2020053978.tif 000018
【図１５】
2020053978.tif 000019
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
第１のフィードバックモード及び第２のフィードバックモードのうちいずれか一方を示す上位レイヤシグナリングを受信し、２つの制御リソースセット（ＣＯＲＥＳＥＴ）内において２つの下り制御情報（ＤＣＩ）をそれぞれ受信する受信部であって、前記２つのＣＯＲＥＳＥＴには、２つのインデックスがそれぞれ関連付けられており、前記２つのインデックスは、復調用参照信号（ＤＭＲＳ）ポートの２つのグループにそれぞれ関連付けられている、受信部と、
前記２つのＤＣＩにそれぞれ対応する２つＨＡＲＱ−ＡＣＫ情報を生成し、前記上位レイヤシグナリングに基づいて、前記２つのＨＡＲＱ−ＡＣＫ情報の報告に前記フィードバックモードを適用する制御部と、を有し、前記第１のフィードバックモードは、２つの上り制御チャネル（ＰＵＣＣＨ）を用いて前記２つのＨＡＲＱ−ＡＣＫ情報をそれぞれ送信し、前記第２のフィードバックモードは、１つのＰＵＣＣＨを用いて前記２つのＨＡＲＱ−ＡＣＫ情報を送信することを特徴とする端末。
【請求項２】
前記制御部は、前記第２のフィードバックモードを用いる場合、前記２つのＤＣＩのうち、特定のインデックスに関連付けられたＣＯＲＥＳＥＴ内において受信したＤＣＩにおけるＰＵＣＣＨリソース指示フィールドに基づいて、前記１つのＰＵＣＣＨのためのＰＵＣＣＨリソースを決定することを特徴とする請求項１記載の端末。
【請求項３】
前記２つのＰＵＣＣＨは、時間的に重複しないことを特徴とする請求項１記載の端末。
【請求項４】
前記制御部は、medium  access  control−control  element（ＭＡＣ  ＣＥ）に基づいて、ＰＵＣＣＨリソースのグループに、１つの空間関係情報を関連付け、前記２つのＰＵＣＣＨの内の１つ又は前記１つのＰＵＣＣＨに、前記ＰＵＣＣＨリソースのグループ内の１つのＰＵＣＣＨリソースを用いることを特徴とする、請求項１から３のいずれかに記載の端末。
【請求項５】
前記制御部は、前記フィードバックモードをサポートすることを示す能力情報の報告を制御し、前記受信部は、前記能力情報に応じた前記上位レイヤシグナリングを受信することを特徴とする、請求項１から４のいずれかに記載の端末。
【請求項６】
第１のフィードバックモード及び第２のフィードバックモードのうちいずれか一方を示す上位レイヤシグナリングを受信し、２つの制御リソースセット（ＣＯＲＥＳＥＴ）内において２つの下り制御情報（ＤＣＩ）をそれぞれ受信する工程であって、前記２つのＣＯＲＥＳＥＴには、２つのインデックスがそれぞれ関連付けられており、前記２つのインデックスは、復調用参照信号（ＤＭＲＳ）ポートの２つのグループにそれぞれ関連付けられている、工程と、
前記２つのＤＣＩにそれぞれ対応する２つＨＡＲＱ−ＡＣＫ情報を生成し、前記上位レイヤシグナリングに基づいて、前記２つのＨＡＲＱ−ＡＣＫ情報の報告に前記フィードバックモードを適用する工程とを有し、前記第１のフィードバックモードは、２つの上り制御チャネル（ＰＵＣＣＨ）を用いて前記２つのＨＡＲＱ−ＡＣＫ情報をそれぞれ送信し、前記第２のフィードバックモードは、１つのＰＵＣＣＨを用いて前記２つのＨＡＲＱ−ＡＣＫ情報を送信することを特徴とする端末の無線通信方法。
【請求項７】
第１のフィードバックモード及び第２のフィードバックモードのうちいずれか一方を示す上位レイヤシグナリングを送信し、２つの制御リソースセット（ＣＯＲＥＳＥＴ）内において２つの下り制御情報（ＤＣＩ）をそれぞれ送信する送信部であって、前記２つのＣＯＲＥＳＥＴには、２つのインデックスがそれぞれ関連付けられており、前記２つのインデックスは、復調用参照信号（ＤＭＲＳ）ポートの２つのグループにそれぞれ関連付けられている、送信部と、
前記２つのＤＣＩにそれぞれ対応する２つのＨＡＲＱ−ＡＣＫ情報の受信を制御する制御部と、を有し、
前記２つのＨＡＲＱ−ＡＣＫ情報は、前記フィードバックモードに従って送信され、前記第１のフィードバックモードは、２つの上り制御チャネル（ＰＵＣＣＨ）を用いて前記２つのＨＡＲＱ−ＡＣＫ情報をそれぞれ送信し、前記第２のフィードバックモードは、１つのＰＵＣＣＨを用いて前記２つのＨＡＲＱ−ＡＣＫ情報を送信することを特徴とする基地局。
【請求項８】
端末と基地局とを有するシステムであって、
前記端末は、
第１のフィードバックモード及び第２のフィードバックモードのうちいずれか一方を示す上位レイヤシグナリングを受信し、２つの制御リソースセット（ＣＯＲＥＳＥＴ）内において２つの下り制御情報（ＤＣＩ）をそれぞれ受信する受信部であって、前記２つのＣＯＲＥＳＥＴには、２つのインデックスがそれぞれ関連付けられており、前記２つのインデックスは、復調用参照信号（ＤＭＲＳ）ポートの２つのグループにそれぞれ関連付けられている、受信部と、
前記２つのＤＣＩにそれぞれ対応する２つＨＡＲＱ−ＡＣＫ情報を生成し、前記上位レイヤシグナリングに基づいて、前記２つのＨＡＲＱ−ＡＣＫ情報の報告に前記フィードバックモードを適用する制御部と、を有し、前記第１のフィードバックモードは、２つの上り制御チャネル（ＰＵＣＣＨ）を用いて前記２つのＨＡＲＱ−ＡＣＫ情報をそれぞれ送信し、前記第２のフィードバックモードは、１つのＰＵＣＣＨを用いて前記２つのＨＡＲＱ−ＡＣＫ情報を送信し、
前記基地局は、
前記２つのＤＣＩを送信する送信部と、
前記２つのＨＡＲＱ−ＡＣＫ情報の受信を制御する制御部と、を有することを特徴とするシステム。
【手続補正３】
【補正対象書類名】明細書
【補正対象項目名】０００１
【補正方法】変更
【補正の内容】
【０００１】
本開示は、次世代移動通信システムにおける端末、無線通信方法、基地局及びシステムに関する。
【手続補正４】
【補正対象書類名】明細書
【補正対象項目名】０００８
【補正方法】変更
【補正の内容】
【０００８】
そこで、本開示は、複数の下り信号に基づく上り制御チャネルを適切に送信する端末、無線通信方法、基地局及びシステムを提供することを目的の１つとする。
【手続補正５】
【補正対象書類名】明細書
【補正対象項目名】０００９
【補正方法】変更
【補正の内容】
【０００９】
本開示の一態様に係る端末は、第１のフィードバックモード及び第２のフィードバックモードのうちいずれか一方を示す上位レイヤシグナリングを受信し、２つの制御リソースセット（ＣＯＲＥＳＥＴ）内において２つの下り制御情報（ＤＣＩ）をそれぞれ受信する受信部であって、前記２つのＣＯＲＥＳＥＴには、２つのインデックスがそれぞれ関連付けられており、前記２つのインデックスは、復調用参照信号（ＤＭＲＳ）ポートの２つのグループにそれぞれ関連付けられている、受信部と、前記２つのＤＣＩにそれぞれ対応する２つＨＡＲＱ−ＡＣＫ情報を生成し、前記上位レイヤシグナリングに基づいて、前記２つのＨＡＲＱ−ＡＣＫ情報の報告に前記フィードバックモードを適用する制御部と、を有し、前記第１のフィードバックモードは、２つの上り制御チャネル（ＰＵＣＣＨ）を用いて前記２つのＨＡＲＱ−ＡＣＫ情報をそれぞれ送信し、前記第２のフィードバックモードは、１つのＰＵＣＣＨを用いて前記２つのＨＡＲＱ−ＡＣＫ情報を送信する。
【国際調査報告】
2020053978.tif 000020
2020053978.tif 000021
2020053978.tif 000022